(57)【要約】【課題】本考案の技術的課題は、磁気情報を記録しているクレジットカードやキャッシュカード、その他カード類、通帳表紙類の磁気情報記録をスキミングにより盗まれる犯罪から効果的に保護すること。それと、それ自体１枚だけでカード類、通帳表紙類の磁気情報を非接触で破損・不正に読み盗られないように効果的に保護できるうえ、ＪＩＳ規格の磁気記録情報カード類並びに通帳表紙類として機能も使用できることである。【解決手段】電磁波遮蔽磁気情報記録カード（１６）の表、裏、に折れる、折目（３）を使い、磁気情報記録テープ（１１）、ＩＣチップ（１２）が内側になるように折り込む（４）、電磁波遮蔽体層（１７）が外側になり磁気記録情報を効果的に保護できるカードになる、そのカードを反対に折りこめば（４）磁気情報記録テープ（１１）、ＩＣチップ（１２）が外側になり、磁気情報記録を使うことができるカードになる。電磁波遮蔽磁気情報記録通帳表紙類（２６）の折目（３）を使い、磁気情報記録テープ（１１）、ＩＣチップ（１２）が表面に出るように折りこめば、磁気情報記録を使うことができる通帳表紙になる。【選択図】図７
0003124318.tif 000002
【実用新案登録請求の範囲】
【請求項１】
紙、プラスチック、金属、その他各種基材（２）を使って長方形に形成したカードの上下中心に表、裏どちらでも折れる折目（３）を形成したことを特徴とする多機能折りたたみ式カード（１）。
【請求項２】
カードの折りたたむ前の寸法を、カード上下中心の折目（３）から二つ折りに折りたたむと、上下、横寸法、厚さが、ＪＩＳ規格カードの規格の上下、横寸法、厚さになるように設定して形成したことを特徴とする請求項１記載の多機能折りたたみ式カード（１）。
【請求項３】
請求項１から２に記載の多機能折りたたみ式カード（１）の基材自体を電磁波遮蔽体にして電磁波遮蔽体層（１７）を形成したことを特徴とする電磁波遮蔽多機能折りたたみ式カード（２７）。
【請求項４】
請求項１から２に記載の多機能折りたたみ式カード（１）の基材に電磁波遮蔽体を貼り付け電磁波遮蔽体層（１７）を形成したことを特徴とする電磁波遮蔽多機能折りたたみ式カード（２７）。
【請求項５】
請求項１から２に記載の多機能折りたたみ式カード（１）の基材に電磁波遮蔽体を挟み込み電磁波遮蔽体層（１７）を形成したことを特徴とする電磁波遮蔽多機能折りたたみ式カード（２７）。
【請求項６】
電磁波遮蔽体層（１７）がアルミニウムを含み、肉厚が５マイクロメートル以上である、請求項３から５の電磁波遮蔽多機能折りたたみ式カード（２７）。
【請求項７】
請求項１から２に記載の多機能折りたたみ式カード（１）の裏、折目（３）の下部面（５）に磁気情報を記録したテープ（１１）並びにＩＣチップ（１２）を貼り付けたり埋め込んだりしたことを特徴とする折りたたみ式磁気情報記録カード（１０）。
【請求項８】
請求項１から２に記載の多機能折りたたみ式カード（１）の折目（３）を基準とした、表、上部面（９）、下部面（８）裏、上部面（６）、下部面（５）４面に磁気情報を記録したテープ（１１）並びにＩＣチップ（１２）を貼り付けたり埋め込んだりしたことを特徴とする折りたたみ式磁気複数情報記録カード（１４）。
【請求項９】
請求項７に記載の折りたたみ式磁気情報記録カード（１０）、請求項８に記載の折りたたみ式磁気複数情報記録カード（１４）の基材自体を電磁波遮蔽体にして電磁波遮蔽体層（１７）を形成したことを特徴とする電磁波遮蔽磁気情報記録カード（１６）。
【請求項１０】
請求項７に記載の折りたたみ式磁気情報記録カード（１０）、請求項８に記載の折りたたみ式磁気複数情報記録カード（１４）の基材に電磁波遮蔽体を貼り付け電磁波遮蔽体層（１７）を形成したことを特徴とする電磁波遮蔽磁気情報記録カード（１６）。
【請求項１１】
請求項７に記載の折りたたみ式磁気情報記録カード（１０）、請求項８に記載の折りたたみ式磁気複数情報記録カード（１４）の基材に電磁波遮蔽体を挟み込み電磁波遮蔽体層（１７）を形成したことを特徴とする電磁波遮蔽磁気情報記録カード（１６）。
【請求項１２】
遮蔽体層（１７）がアルミニウムを含み、肉厚が５マイクロメートル以上である、請求項９から１０の電磁波遮蔽磁気情報記録カード。
【請求項１３】
紙、プラスチック、金属、その他各種基材を使って形成した（２）長方形の通帳表紙の上下中心に表、裏どちらでも折れる折目（３）を形成したことを特徴とする多機能折りたたみ式通帳表紙（１９）。
【請求項１４】
請求項１３記載の多機能折りたたみ式通帳表紙の裏、折目（３）、下部面（２２）磁気情報を記録したテープ（１１）並びにＩＣチップ（１２）を貼り付けたり埋め込んだりしたことを特徴とする折りたたみ式磁気情報記録通帳表紙（２５）。
【請求項１５】
請求項１４に記載の折りたたみ式磁気情報記録通帳表紙（２５）の基材自体を電磁波遮蔽体にして電磁波遮蔽体層（１７）を形成したことを特徴とする電磁波遮蔽磁気情報記録通帳表紙（２６）。
【請求項１６】
請求項１４に記載の折りたたみ式磁気情報記録通帳表紙（２５）の基材に電磁波遮蔽体を貼り付け電磁波遮蔽体層（１７）を形成したことを特徴とする電磁波遮蔽磁気情報記録通帳表紙（２６）。
【請求項１７】
請求項１３に記載の折りたたみ式磁気情報記録通帳表紙（２５）の基材に電磁波遮蔽体を挟み込み電磁波遮蔽体層（１７）を形成したことを特徴とする電磁波遮蔽磁気情報記録通帳表紙（２６）。
【請求項１８】
電磁波遮蔽体層（１７）がアルミニウムを含み、肉厚が５マイクロメートル以上である、請求項１４から１６の電磁波遮蔽磁気情報記録通帳表紙。
【請求項１９】
請求項１から４、請求項８から９、のいずれにも記載の、基材層（２）を加工したり、二枚のカード並びに通帳表紙の二面を各種素材を使って貼り付けたりした、表裏に無理なく折りたためるように、二枚のカード並びに通帳表紙の二面を一体にすることができる事を特徴とする折目（３）。
【考案の詳細な説明】
【技術分野】
【０００１】本考案は、クレジットカードやキャシュカード、ＩＣカード等のカード類並びに銀行通帳表紙等に記録されている磁気情報記録を電磁波により破損又は不正に読み取られないように効果的に保護もでき、折りたためばＪＩＳ規格カードサイズになるので、ＪＩＳ規格カード並びに銀行通帳等の通帳として磁気カード専用機械並びに磁気通帳専用機械も利用できる、１枚のカードで多種類の特性設定も利用もできる多機能折りたたみ式カード、多機能折りたたみ式磁気情報記録カード、多機能折りたたみ式磁気情報記録通帳表紙、電磁波遮蔽磁気情報記録カード、電磁波遮蔽磁気情報記録通帳表紙に関する。
【背景技術】
【０００２】  従来から使われている１枚のクレジットカードやキャシュカード、ＩＣカード等のカード類は表、裏、２面で形成されている、カード機能実行する場合の特性設定できる面は表面１面、裏１面しかない。【０００３】  従来から使われている磁気記録情報を利用した銀行通帳等の通帳類は磁気情報を表紙、表面に磁気情報を記録したテープ並びにＩＣチップを貼り付けたり、埋め込んだりして機能実行さしている、その記録部分は外部に剥き出しの状態であるので効果的に保護できない。【０００４】上記記録部分を効果的に保護できないために、クレジットカードやキャシュカード、ＩＣカード等のカード類並びに銀行通帳等の磁気情報記録を電磁波発信物などで破損されたり、他人に非接触で磁気情報記録を不正に読み盗られたりする。磁気情報記録破損においては、カード会社に再度作ってもらう手間だけの不便で済むが、不正に読み盗られた磁気情報記録は、それを使ってカード偽造され現金を搾取されたりする、近年その犯罪が多発している。その犯罪手口は、カード類を持ち歩く場合、上着、財布、鞄、などに保管して持ち歩く、しかし、厳重に盗られないように保管していても、その保管している所を外部から電磁波発信機で数秒間照射すれば、簡単に磁気情報記録を読み盗ることができる、本人は請求がくるまで又は残高確認するまで気付かない、非常に巧妙で被害者が気付き難いという特徴がある。【０００５】現在の技術では、カード並びに通帳表紙単体では磁気情報記録は効果的に保護できない、保護する手段としては、構成材料自体に電磁波遮蔽特性を備えたカード並びに通帳類を収容するもの、例えば、鞄、財布、カードケース類とか、遮蔽盤類とがある。
【考案の開示】
【考案が解決しようとする課題】
【０００６】本考案の技術的課題は従来技術では、クレジットカードやキャッシュカード１枚の面は表、裏、２面になっている、１枚のカードでも２面以上の面が持てることである。【０００７】本考案の技術的課題は従来から使われている、磁気情報を記録しているクレジットカードやキャッシュカード、その他カード類、通帳表紙類を持ち歩く場合、スキミング犯罪から効果的に保護することができないことである。【０００８】本考案の技術的課題は従来から使われている、磁気情報を記録しているクレジットカードやキャッシュカード、その他カード類、銀行通帳等の表紙、その他通帳表紙類、それ自体で磁気情報記録を非接触で電磁波により破損並びに不正に読み盗られないように効果的に保護できないことである。【０００９】本考案の技術的課題は従来から使われている、磁気情報を記録しているクレジットカードやキャッシュカード、その他カード類、銀行通帳等の表紙、その他通帳表紙類、それ自体で磁気情報記録を非接触で電磁波により破損並びに不正に読み盗られないように効果的に保護しても、ＪＩＳ規格カード並びに銀行通帳等の通帳として磁気カード専用機械並びに磁気通帳専用機械等利用できないことである。
【課題を解決するための手段】
【００１０】本考案は上記の課題を解決するために、例えば、本考案の実施の形態を示す図１から図１４に基づいて説明すると、次のように構成したものである。
本考案は一枚のカード及び通帳表紙を上下中心の所で折りたためるように折目（３）を形成し、表裏２種類の方法で折りたためるようにしたことを特徴とする。【００１１】上記折目（３）は、基材層（２）に各種の方法で折目線等を付ける方法か、二枚のカード並びに二面の通帳表紙を別の素材を使って貼り付けたりして、二枚のカード並びに二面の通帳表紙を一体にすることができる加工をすることを特徴とする折目（３）。【００１２】上記一枚の折りたためるように形成した多機能折りたたみ式カード（１）表に折りたためば、２面を持った１枚のカードになる、それを元に戻し、裏に折りたためば表と違う面、２面を持った１枚のカードになる、１枚のカードであるが、折り方を変える事により面が違った２枚のカードとして利用できることを特徴とする。【００１３】上記のカードの大きさを縦１０８ｍｍ以下、横８５．６ｍｍ以下、厚さ０．３８ｍｍ以下にして、上下中心の折目（３）で折りにたたむと縦５４ｍｍ以下、横８５．６ｍｍ以下、厚さ０．７６ｍｍ以下のＪＩＳ規格カードサイズになることを特徴とする。【００１４】上記一枚の折りたためるように形成した多機能折りたたみ式カード（１）及び折りたたみ式通帳表紙（１９）の表、裏、折目（３）を利用して表、裏、折ることによりできる上部面、下部面、４面、各面に特性を設定できるようにしたことを特徴とする。【００１５】上記一枚の折りたためるように形成した多機能折りたたみ式カード（１）及び折りたたみ式通帳表紙（１９）を折りたんだ時、面を表、裏の２面一体で利用できることを特徴とする。【００１６】上記一枚の折りたためるように形成した多機能折りたたみ式カード（１）及び折りたたみ式通帳表紙（１９）折りたたむ前の表二面、裏二面は各一体として、表二面に一つの特性を持たせ、裏二面に表と違う特性にし、表二面を外部に出る折り方をすればその特性が、裏二面に効果をもたらし、裏二面を外部に出る折り方をすればその特性が、表二面に効果をもたらすことができるようになることを特徴とする。【００１７】上記一枚の折りたためるように形成した多機能折りたたみ式カード（１）、基材自体を電磁波等遮蔽特性持った電磁波等遮蔽体層（１７）にする、それに磁気情報記録を持った物、例えばクレジットカードやキャッシュカード、その他カード類を挟みこんで収納すれば、その物の磁気情報記録を効果的に保護することをきるようにしたことを特徴とする。【００１８】多機能折りたたみ式カード（１）の基材層を電磁波等遮蔽特性持った電磁波等遮蔽体層（１７）にする、裏、折目（３）下部（５）に磁気情報を記録したテープ（１１）並びにＩＣチップ（１２）を貼り付けたり又は埋め込んだりする、表の下部（８）を裏に折りたたむと、電磁波等遮蔽体層（１７）が外側、磁気情報記録部分（１１）（１２）が内側になり磁気情報記録を効果的に保護することができる、磁気情報記録を利用する場合は表の下部（８）を表に折りたたみ、磁気情報を記録したテープ（１１）並びにＩＣチップ（１２）が外側に出るようにする、１枚のカードで磁気情報記録を効果的に保護することができ、磁気情報記録も利用できるようにしたことを特徴とする。【００１９】電磁波等遮蔽体層（１７）は、基材自体を電磁波遮蔽体にしたり、基材に電磁波遮蔽体を張り合わせたり、基材の中に電磁波遮蔽体を挟み込んだりして形成したことを特徴とする。【００２０】上記の電磁波等を遮蔽する特性を持った電磁波等遮蔽体層（１７）とは、カード及び通帳表紙の磁気情報記録を電磁波により破損並びに不正に読み盗られないように遮蔽できるものであればよく、例えば金属の場合はアルミ、鉄、珪素鋼、ニッケル、パーマロイ、ステンレス、アモルファス合金、その他遮蔽特性をもった各種金属、その他これらの金属を１種類か複数種類含む複合体、その他繊維等の遮蔽特性を有する材料をいう。【００２１】二つに折りたためるように形成した折りたたみ式通帳表紙（１９）の基材層を電磁波等遮蔽する特性を持った電磁波遮蔽体層（１７）にする、電磁波遮蔽体層（１７）は電磁波等を遮蔽する特性を持ったもの、電磁波等を遮蔽する特性を張り合わせたもの、基材層の中に電磁波等を遮蔽する特性を挟み込んだものなどを使い表紙を形成する、表紙の裏に磁気情報記録を設定する、それにより電磁波遮蔽機能を持った磁気情報記録通帳表紙になる。次に、磁気情報記録を利用するときは表紙裏を表になるように折りたためば使用できる、電磁波等を遮蔽でき、磁気情報記録も利用できるようにしたことを特徴とする。【００２２】上記の電磁波等遮蔽通帳表紙の大きさは縦１７４ｍｍ以下、横１３９ｍｍ以下、にすれば、縦二つに折りにたたむと縦５４ｍｍ以下、横１３９ｍｍ以下、のＪＩＳ規格通帳表紙サイズになるので最適である。
【考案の効果】
【００２２】本考案は上記のように構成されることから、次の効果を奏する。【００２３】（１）本考案の多機能折りたたみ式カード、多機能折りたたみ式通帳表紙は、折目（３）を利用して表、裏、二つに折りたためば、２面であった表面が４面にできる。【００２４】（２）本考案の多機能折りたたみ式カード、多機能折りたたみ式通帳表紙は、表、裏、折目の上部面、下部面、４面あるので、総ての面に磁気情報記録等特性を設定すれば１枚であるが４種類の磁気情報機能が実行できる。【００２５】（３）本考案の多機能折りたたみ式カード、折りたたみ式磁気情報記録カード、折りたたみ式磁気複数情報記録カード、電磁波遮蔽磁気情報記録カードを折目（３）より折りたためばＪＩＳ規格サイズのカードになる。【００２６】（４）本考案の多機能折りたたみ式カード（３）、折りたたみ式通帳表紙は、折目から折ることにより、面を利用した２種類のカード並びに通帳機能が利用できる。【００２７】（５）本考案の電磁波等遮蔽多機能折りたたみ式カード（２７）、折目から折ることによりできる２面に磁気情報記録カード等磁気情報記録を利用しているものを挟み込めば磁気情報記録を効果的に保護することができる【００２８】（６）本考案の電磁波遮蔽磁気情報記録カードや電磁波遮蔽磁気情報記録通帳表紙は、非接触で電磁波により破損並びに不正に読み盗られないように磁気情報記録を効果的に保護することができる【００２９】（７）本考案の電磁波遮蔽磁気情報記録カード、電磁波遮蔽磁気情報記録通帳表紙は磁気情報記録を効果的に保護でき、磁気情報記録も利用できる。
【考案を実施するための最良の形態】
【００３０】以下、本考案の実施の形態を図面に基づき説明する。
図１から図２、図３は本考案の第１実施形態を示し、図１は多機能折りたたみ式カード（１）の平面図並びに断面図であり、図２は多機能折りたたみ式カード（１）の使用する時の折り方を示す説明図並びに折済み（７）の平面図並びに断面図、図３は多機能折りたたみ式電磁波遮蔽カード（２７）の使用する時の折り方を示す説明図並びに折済み（７）の平面図並びに断面図である。【００３１】図１（ａ）に示すように、縦長に配置した多機能折りたたみ式カード（１）、紙、プラスチック、金属、その他各種の基材層（２）に容易に裏、表どちらでも折りたためる（４）折目（３）を形成してある裏平面図。【００３２】図１（ｂ）に示すように、裏下半部面（５）を上下方向の中央に裏、表どちらでも折りたためるように形成した折目（３）に沿って折りたためる断面図。【００３３】図１（ｃ）に示すように、縦長に配置した多機能折りたたみ式カード（１）、紙、プラスチック、金属、その他各種の基材層（２）に容易に裏、表どちらでも折りたためる（４）折目（３）を形成してある図１（ａ）の表平面図。【００３４】図１（ｄ）に示すように、表下半部面（８）を上下方向の中央に裏、表どちらでも折りたためるように形成した折目（３）に沿って折りたためる断面図。【００３５】上記の多機能折りたたみ式カード（１）の大きさは縦１０８ｍｍ以下、横８５．６ｍｍ以下、厚さ０．３８ｍｍ以下である、折目（３）は上下方向の中央に形成している。【００３６】次に、上記の多機能折りたたみ式カード（１）を用いて、機能を使用する時の２種類の手順について説明する。
図２（ａ）に示すように、縦長に配置した多機能折りたたみ式カード（１）裏平面図。【００３７】図２（ｂ）に示すように、裏下半部面（５）を上下方向の中央に裏、表どちらでも折りたためるように形成した折目（３）に沿って折りたためる断面図。【００３８】図２（ｃ）に示すように、裏下半部面（５）を上下方向の中央に裏表どちらでも折りたためるように形成した折目（３）に沿って折りたたんで裏上半部（６）に重ねた断面図。【００３９】図２（ｄ）に示すように、折りたたみ式カード折りたたみ済ＪＩＳ規格サイズカード（７）、図２（ｃ）の平面図。【００４０】次に、図２（ｅ）に示すように、縦長に配置した多機能折りたたみ式カード（１）図２（ａ）の表平面図。【００４１】図２（ｆ）に示すように、表下半部面（８）を上下方向の中央に裏、表どちらでも折りたためるように形成した折目（３）に沿って折りたためる断面図。【００４２】図２（ｇ）に示すように、表下半部面（８）を上下方向の中央に裏、表どちらでも折りたためるように形成した折目（３）に沿って折りたたんで表上半部（９）に重ねた断面図。【００４３】図２（ｈ）に示すように、折りたたみ式カード折りたたみ済ＪＩＳ規格サイズカード（７）、図２（ｇ）の平面図。【００４４】  図３（ａ−１）に示すように、基材層を遮蔽特性を持った物で形成し電磁波遮蔽層（１７）を造り、折り返す事により（４）磁気情報記録を効果的に保護できる隙間ができる、電磁波遮蔽多機能折りたたみ式カード（２７）断面図。【００４５】  図３（ａ−２）に示すように、図３（ａ−１）の電磁波遮蔽多機能折りたたみ式カード（２７）折りたたみ済み断面図。【００４６】  図３（ａ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽多機能折りたたみ式カード（２８）平面図。【００４７】  図３（ｂ−１）に示すように、基材層（２）に遮蔽特性を持った電磁波遮蔽体層（１７）を貼り付けたもので形成し電磁波遮蔽層（１７）を造り、折り返す事により（４）磁気情報記録を効果的に保護できる、電磁波遮蔽多機能折りたたみ式カード（２７）断面図。【００４８】  図３（ｂ−２）に示すように、図３（ｂ−１）の電磁波遮蔽多機能折りたたみ式カード（２７）折りたたみ済み断面図。【００４９】  図３（ｂ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽多機能折りたたみ式カード（２８）平面図。【００５０】  図３（ｃ−１）に示すように、基材層（２）に電磁波遮蔽体層（１７）を挟み込み遮蔽特性持ったものを使って形成し、電磁波遮蔽層（１７）を造り、折り返す事により（４）磁気情報記録を効果的に保護できる、電磁波遮蔽多機能折りたたみ式カード（２７）断面図。【００５１】  図３（ｃ−２）に示すように、図３（ｃ−１）の電磁波遮蔽多機能折りたたみ式カード（２７）折りたたみ済み断面図。【００５２】  図３（ｃ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽多機能折りたたみ式カード（２８）平面図。【００５３】図４から図５は本考案の第２実施形態を示し、図４は折りたたみ式磁気情報記録カード（１０）平面図並びに断面図であり、図５は折りたたみ式磁気情報記録カード（１０）の使用する時の折り方を示す説明図並びに折済みの平面図並びに断面図である。【００５４】図４（ａ）に示すように、多機能折りたたみ式カード（１）の裏下半部面（５）、に磁気情報を記録したテープ（１１）並びにＩＣチップ（１２）を貼り付けたり又は埋め込んだりした折りたたみ式磁気情報記録カード（１０）裏平面図。【００５５】図４（ｂ）に示すよう、裏下半部面（５）を上下方向の中央に形成した折目（３）に沿って折り返す（４）、折りたたみ式磁気情報記録カード（１０）断面図。【００５６】図４（ｃ）に示すように、折りたたみ式磁気情報記録カード（１０）図４（ａ）の表平面図。【００５７】図４（ｄ）に示すよう、表下半部面（８）を上下方向の中央に形成した折目（３）に沿って折り返す（４）、折りたたみ式磁気情報記録カード（１０）断面図。【００５８】次に、上記の折りたたみ式磁気情報記録カード（１０）を用いて、使用する時の２種類の手順について説明する。
図５（ａ）に示すように、縦長に配置した折りたたみ式磁気情報記録カード（１０）裏平面図。【００５９】図５（ｂ）に示すように、裏下半部面（５）を上下方向の中央に形成した折目（３）に沿って折り返す（４）、断面図。【００６０】図５（ｃ）に示すように、裏下半部面（５）を裏上半部面（６）に重ねた断面図。【００６１】図５（ｄ）に示すように、磁気情報記録面が内側に収まる、折りたたみ式磁気情報記録カード折りたたみ済ＪＩＳ規格サイズカード（１３）図５（ｃ）の平面図。【００６２】次に、図５（ｅ）に示すように、縦長に配置した折りたたみ式磁気情報記録カード（１０）図５（ａ）の表平面図。【００６３】図５（ｆ）に示すように、表下半部面（８）を上下方向の中央に形成した折目（３）に沿って折り返す（４）、断面図。【００６４】図５（ｇ）に示すように、表下半部面（８）を表上半部面（９）に重ねる断面図。【００６５】図５（ｈ）に示すように、磁気情報記録部分が外側に出て磁気情報記録が効果的に利用できる、折りたたみ式磁気情報記録カード折りたたみ済ＪＩＳ規格サイズカード（１３）図５（ｇ）の平面図。【００６６】図６から図７は本考案の第３実施形態を示し、図６は折りたたみ式磁気複数情報記録カード（１４）平面図並びに断面図であり、図７は折りたたみ式磁気複数情報記録カード（１４）の使用する時の折り方を示す説明図並びに折済みの平面図並びに断面図である。【００６７】図６（ａ）に示すように、多機能折りたたみ式カード（１）、裏下半部面（５）、裏上半部面（６）に磁気情報を記録したテープ（１１）並びにＩＣチップ（１２）を貼り付けたり又は埋め込んだりした折りたたみ式磁気複数情報記録カード（１４）裏平面図。【００６８】図６（ｂ）に示すよう、裏下半部面（５）を上下方向の中央に形成した折目（３）に沿って折り返す（４）、折りたたみ式磁気複数情報記録カード（１４）断面図。【００６９】図６（ｃ）に示すように、多機能折りたたみ式カード（１）、表下半部面（８）、表上半部面（９）に磁気情報を記録したテープ（１１）並びＩＣチップ（１２）を貼り付けたり又は埋め込んだりした折りたたみ式磁気複数情報記録カード（１４）図６（ａ）の表平面図。【００７０】図６（ｄ）に示すよう、表下半部面（８）を上下方向の中央に形成した折目（３）に沿って折り返す（４）、折りたたみ式磁気複数情報記録カード（１４）断面図。【００７１】次に、上記の折りたたみ式磁気複数情報記録カード（１４）を用いて、使用する時の２種類の手順について説明する。
図７（ａ）に示すように、縦長に配置した折りたたみ式磁気複数情報記録カード（１４）裏平面図。【００７２】図７（ｂ）に示すように、裏下半部面（５）を上下方向の中央に形成した折目（３）に沿って折り返す（４）、折りたたみ式磁気複数情報記録カード（１４）断面図。【００７３】図７（ｃ）に示すように、裏の下半部面（５）を裏上半部面（６）に重ねた断面図。【００７４】図７（ｄ）に示すように、磁気情報記録面が内側に収まった、折りたたみ式磁気複数情報記録カード、折りたたみ済ＪＩＳ規格サイズカード（１５）図７（ｃ）の平面図。【００７５】次に、図７（ｅ）に示すように、縦長に配置した折りたたみ式磁気複数情報記録カード（１４）図７（ａ）の表平面図。【００７６】図７（ｆ）に示すように、表下半部面（８）を上下方向の中央に形成した折目（３）に沿って折り返す（４）、断面図。【００７７】図７（ｇ）に示すように、表下半部面（８）を表上半部面（９）に重ねる断面図。【００７８】図７（ｈ）に示すように、磁気情報記録面が外側に収まった、折りたたみ式磁気複数情報記録カード、折りたたみ済ＪＩＳ規格サイズカード（１５）図７（ｇ）の平面図。【００７９】  図８から図９、図１０は本考案の第４実施形態を示し、図８は電磁波遮蔽磁気情報記録カード（１６）平面図並びに断面図であり、図９は電磁波遮蔽磁気情報記録カード（１６）の電磁波遮蔽時の折り方を示す説明図並びに折済みの平面図並びに断面図、図１０は電磁波遮蔽磁気情報記録カード（１６）の磁気情報記録利用時の折り方を示す説明図並びに折済みの平面図並びに断面図である。【００８０】  図８（ａ）に示すように、裏下半部面（５）、に磁気情報を記録したテープ（１１）並びにＩＣチップ（１２）を貼り付けたり又は埋め込んだりした電磁波遮蔽磁気情報記録カード（１６）裏平面図。【００８１】  図８（ｂ）に示すように、図８（ａ）の基材層を遮蔽特性を持った遮蔽体層（１７）で形成し電磁波遮蔽層を造り、折り返す事により（４）磁気情報記録を効果的に保護できる、電磁波遮蔽磁気情報記録カード（１６）断面図。【００８２】  図８（ｃ）に示すように、図８（ａ）の基材層（２）に遮蔽特性を持った電磁波遮蔽遮蔽体層（１７）を貼り付けたもので形成し電磁波遮蔽層を造り、折り返す事により（４）磁気情報記録を効果的に保護できる、電磁波遮蔽磁気情報記録カード（１６）断面図。【００８３】  図８（ｄ）に示すように、図８（ａ）の基材層（２）に遮蔽特性持った電磁波遮蔽体層（１７）を挟み込み電磁波遮蔽層を造り、折り返す事により（４）磁気情報記録を効果的に保護できる、電磁波遮蔽磁気情報記録カード（１６）断面図。【００８４】  図８（ｅ）に示すように、図８（ａ）の電磁波遮蔽磁気情報記録カード（１６）表平面図。【００８５】  図８（ｆ）に示すように、図８（ｅ）の基材層を遮蔽特性を持った電磁波遮蔽体層（１７）で形成し電磁波遮蔽層を造り、折り返す事により（４）磁気情報記録を効果的に利用できる、電磁波遮蔽磁気情報記録カード（１６）断面図。【００８６】  図８（ｇ）に示すように、図８（ｅ）の基材層（２）に遮蔽特性を持った電磁波遮蔽体層（１７）を貼り付けたもので形成し電磁波遮蔽層（１７）を造り、折り��す事により（４）磁気情報記録を効果的に利用できる、電磁波遮蔽磁気情報記録カード（１６）断面図。【００８７】  図８（ｈ）に示すように、図８（ｅ）の基材層（２）に電磁波遮蔽体層（１７）を挟み込み遮蔽特性持ったものを使って形成し、電磁波遮蔽層（１７）を造り、折り返す事により（４）磁気情報記録を効果的に利用できる、電磁波遮蔽磁気情報記録カード（１６）断面図。【００８８】  図９（ａ−１）に示すように、基材層を遮蔽特性を持った物で形成し電磁波遮蔽層（１７）を造り、折り返す事により（４）磁気情報記録を効果的に保護できる、電磁波遮蔽磁気情報記録カード（１６）断面図。【００８９】  図９（ａ−２）に示すように、図９（ａ−１）の電磁波遮蔽磁気情報記録カード（１６）折りたたみ済み断面図。【００９０】  図９（ａ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽磁気情報記録カード（１８）平面図。【００９１】  図９（ｂ−１）に示すように、基材層（２）に遮蔽特性を持った電磁波遮蔽体層（１７）を貼り付けたもので形成し電磁波遮蔽層（１７）を造り、折り返す事により（４）磁気情報記録を効果的に保護できる、電磁波遮蔽磁気情報記録カード（１６）断面図。【００９２】  図９（ｂ−２）に示すように、図９（ｂ−１）の電磁波遮蔽磁気情報記録カード（１６）折りたたみ済み断面図。【００９３】  図９（ｂ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽磁気情報記録カード（１８）平面図。【００９４】  図９（ｃ−１）に示すように、基材層（２）に電磁波遮蔽体層（１７）を挟み込み遮蔽特性持ったものを使って形成し、電磁波遮蔽層（１７）を造り、折り返す事により（４）磁気情報記録を効果的に保護できる、電磁波遮蔽磁気情報記録カード（１６）断面図。【００９５】  図９（ｃ−２）に示すように、図９（ｃ−１）の電磁波遮蔽磁気情報記録カード（１６）折りたたみ済み断面図。【００９６】  図９（ｃ−３）に示すように、磁気情報を記録したテープ（１１）並びにＩＣチップ（１２）を貼り付けたり又は埋め込んだ面が内側になり、電磁波遮蔽特性を持った面が外側になり、磁気情報を効果的に保護できる、ＪＩＳ規格サイズの電磁波遮蔽磁気情報記録カード（１８）平面図。【００９７】  図１０（ａ−１）に示すように、基材層を遮蔽特性持った物で形成し電磁波遮蔽層（１７）を造り、折り返す事により（４）磁気情報記録を効果的に使用できる、電磁波遮蔽磁気情報記録カード（１６）断面図。【００９８】  図１０（ａ−２）に示すように、図１０（ａ−１）の電磁波遮蔽磁気情報記録カード（１６）折りたたみ済み断面図。【００９９】  図１０（ａ−３）に示すように、磁気情報を記録したテープ（１１）並びにＩＣチップ（１２）を貼り付けたり又は埋め込んだ面が外側になり、電磁波遮蔽特性を持った面が内側になり、磁気情報を効果的に利用できる、ＪＩＳ規格サイズの電磁波遮蔽磁気情報記録カード（１８）平面図。【０１００】  図１０（ｂ−１）に示すように、基材層（２）に遮蔽特性を持った電磁波遮蔽体層（１７）を貼り付けたもので形成し電磁波遮蔽層（１７）を造り、折り返す事により（４）磁気情報記録を効果的に使用できる、電磁波遮蔽磁気情報記録カード（１６）断面図。【０１０１】  図１０（ｂ−２）に示すように、図１０（ｂ−１）の電磁波遮蔽磁気情報記録カード（１６）折りたたみ済み断面図。【０１０２】  図１０（ｂ−３）に示すように、磁気情報を記録したテープ（１１）並びにＩＣチップ（１２）を貼り付けたり又は埋め込んだ面が外側になり、電磁波遮蔽特性を持った面が内側になり、磁気情報を効果的に利用できる、ＪＩＳ規格サイズの電磁波遮蔽磁気情報記録カード（１８）平面図。【０１０３】  図１０（ｃ−１）に示すように、基材層（２）に電磁波遮蔽体層（１７）を挟み込み遮蔽特性持ったものを使って形成し、電磁波遮蔽層（１７）を造り、折り返す事により（４）磁気情報記録を効果的に利用できる、電磁波遮蔽磁気情報記録カード（１６）断面図。【０１０４】  図１０（ｃ−２）に示すように、図１０（ｃ−１）の電磁波遮蔽磁気情報記録カード（１６）折りたたみ済み断面図。【０１０５】  図１０（ｃ−３）に示すように、磁気情報を記録したテープ（１１）並びにＩＣチップ（１２）を貼り付けたり又は埋め込んだ面が外側になり、電磁波遮蔽特性を持った面が内側になり、磁気情報を効果的に利用できる、ＪＩＳ規格サイズの電磁波遮蔽磁気情報記録カード（１８）平面図。【０１０６】図１１から図１４は本考案の第５実施形態を示し、図１１は電磁波遮蔽磁気情報記録通帳表紙（２５）表裏平面図並びに折りたたみ図、図１２、図１３、図１４は電磁波遮蔽体層（１７）の断面図並びに電磁波遮蔽磁気情報記録通帳表紙（２５）の使用する時の折り方を示す説明図並びに折りたたみ済み平面図である。【０１０７】図１１（ａ）に示すよう、この電磁波遮蔽磁気情報記録通帳表紙（２５）は紙、プラスチック、金属、その他各種の基材層（２）に容易にどちらでも折りたためる（４）折目（３）を形成してある表平面図。【０１０８】図１１（ｂ）に示すよう、電磁波遮蔽磁気情報記録通帳表紙（２５）の裏下半部面（２２）、裏上半部面（２３）に磁気情報を記録したテープ（１１）並びにＩＣチップ（１２）を貼り付けたり又は埋め込んだりした、図９（ａ）の裏平面図（２５）。【０１０９】図１１（ｃ）（ｄ）に示すよう、電磁波遮蔽磁気情報記録通帳表紙を折りたたむ時の断面図。【０１１０】上記の電磁波遮蔽磁気情報記録通帳表紙（１）の大きさは縦１７４ｍｍ以下、横１３９ｍｍ以下、が最適である。【００９１】図１２（ａ−１）に示すように、基材本体を電磁波遮蔽体層（１７）にして、裏下半部面（２２）、裏上半部面（２３）に磁気情報を記録したテープ（１１）並びにＩＣチップ（１２）を貼り付けたり又は埋め込んだりした、電磁波遮蔽磁気情報記録通帳表紙断面図。【０１１１】図１２（ａ−２）に示すように、図１２（ａ−１）電磁波遮蔽磁気情報記録通帳表紙折りたたみ前の表平面図。【０１１２】図１２（ｂ−１）に示すように、図１２（ａ−１）電磁波遮蔽磁気情報記録通帳表紙断面図。【０１１３】図１２（ｂ−２）に示すように、図１２（ｂ−１）電磁波遮蔽磁気情報記録通帳表紙折りたたみ後の断面図。【０１１４】図１２（ｂ−３）に示すように、磁気情報を記録したテープ（１１）並びにＩＣチップ（１２）を貼り付けたり又は埋め込んだ面が外側になり、磁気記録情報を利用できるＪＩＳ規格サイズの電磁波遮蔽磁気情報記録通帳表紙（２６）、折りたたみ後の平面図。【０１１５】図１３（ａ−１）に示すように、基材本体に遮蔽特性を持った電磁波遮蔽体層（１７）を貼り付けたもので形成して、裏下半部面（２２）、裏上半部面（２３）に磁気情報を記録したテープ（１１）並びにＩＣチップ（１２）を貼り付けたり又は埋め込んだりした、電磁波遮蔽磁気情報記録通帳表紙断面図。【０１１６】図１３（ａ−２）に示すように、図１３（ａ−１）電磁波遮蔽磁気情報記録通帳表紙折りたたみ前の表平面図。【０１１７】図１３（ｂ−１）に示すように、図１３（ａ−１）電磁波遮蔽磁気情報記録通帳表紙断面図。【０１１８】図１３（ｂ−２）に示すように、図１３（ｂ−１）電磁波遮蔽磁気情報記録通帳表紙折りたたみ後の断面図。【０１１９】図１３（ｂ−３）に示すように、磁気情報を記録したテープ（１１）並びにＩＣチップ（１２）を貼り付けたり又は埋め込んだ面が外側になり、磁気記録情報を利用できるＪＩＳ規格サイズの電磁波遮蔽磁気情報記録通帳表紙（２６）、折りたたみ後の平面図。【０１２０】図１４（ａ−１）に示すように、基材本体に電磁波遮蔽体層（１７）を挟み込みこんだものを使って形成して、裏下半部面（２２）、裏上半部面（２３）に磁気情報を記録したテープ（１１）並びにＩＣチップ（１２）を貼り付けたり又は埋め込んだりした、電磁波遮蔽磁気情報記録通帳表紙断面図。【０１２１】図１４（ａ−２）に示すように、図１４（ａ−１）電磁波遮蔽磁気情報記録通帳表紙折りたたみ前の表平面図。【０１２２】図１４（ｂ−１）に示すように、図１４（ａ−１）電磁波遮蔽磁気情報記録通帳表紙断面図。【０１２３】図１４（ｂ−２）に示すように、図１４（ｂ−１）電磁波遮蔽磁気情報記録通帳表紙折りたたみ後の断面図。【０１２４】図１４（ｂ−３）に示すように、磁気情報を記録したテープ（１１）並びにＩＣチップ（１２）を貼り付けたり又は埋め込んだ面が外側になり、磁気記録情報を利用できるＪＩＳ規格サイズの電磁波遮蔽磁気情報記録通帳表紙（２６）、折りたたみ後の平面図。【０１２５】  上記の実施形態で説明した多機能折りたたみ式カード、折りたたみ式磁気情報記録カード、折りたたみ式磁気複数情報記録カード、電磁波遮蔽磁気情報記録カード、多機能折りたたみ式通帳表紙、電磁波遮蔽磁気情報記録通帳表紙は、本考案の技術的思想を具体化するために例示したものであって、材質、形成方法、寸法、形状等、実施形態のものに限定するものでなく、本考案の実用新案請求の範囲内において数々の変更を加え得るものである。
【産業上の利用可能性】
【０１２６】  本考案の折りたたみ式カードとそれを用いた電磁遮蔽磁気情報記録カード、電磁遮蔽磁気情報記録通帳表紙は、スキミング等によりカード磁気記録情報を不正に読み盗られないように効果的に保護でき、現在使われているＡＴＭ等カードを利用した各種システム、機械も使用できる。現在使われているカードの不安定な磁気情報盗難保護が安定保護され、多くのカード会社が利用すると思われる。
【図面の簡単な説明】
【０１２７】
【図１】本考案の、第１実施形態の多機能折りたたみ式カードの平面図並びに断面図である。
【図２】第１実施形態の、多機能折りたたみ式カードの使用する時の折り方を示す説明図並びに折り済み平面図である。
【図３】第１実施形態の、電磁波遮蔽多機能折りたたみ式カードの使用する時の折り方を示す説明図並びに折り済み平面図である。
【図４】第２実施形態の、折りたたみ式磁気情報記録カード平面図並びに断面図である。
【図５】第２実施形態の、折りたたみ式磁気情報記録カード平面図並びに断面図、折り済み平面図である。
【図６】第３実施形態の、折りたたみ式磁気複数情報記録カード平面図並びに断面図である。
【図７】第３実施形態の、折りたたみ式磁気複数情報記録カードの使用する時の折り方を示す説明図並びに折り済み平面図である。
【図８】第４実施形態の、電磁波遮蔽磁気情報記録カード平面図並びに断面図である。
【図９】第４実施形態の、電磁波遮蔽磁気情報記録カードの使用する時の折り方を示す説明図並びに折り済み平面図である。
【図１０】第４実施形態の、電磁波遮蔽磁気情報記録カードの使用する時の折り方を示す説明図並びに折り済み平面図である。
【図１１】本考案の、第５実施形態の電磁波遮蔽磁気情報記録通帳表紙平面図並びに断面図である。
【図１２】第５実施形態の、本体電磁波遮蔽体層である電磁波遮蔽磁気情報記録通帳表紙の平面図と使用する時の折り方を示す説明図である。
【図１３】第５実施形態の、電磁波遮蔽体層貼り付けた電磁波遮蔽磁気情報記録通帳表紙の平面図と使用する時の折り方を示す説明図である。
【図１４】第５実施形態の、電磁波遮蔽体層挟み込んだ電磁波遮蔽磁気情報記録通帳表紙の平面図と使用する時の折り方を示す説明図である。
【符号の説明】
【０１２８】１…多機能折りたたみ式カード
２…基材層
３…折目
４…折りたたみ方向
５…カードの裏下半部面
６…カードの裏上半部面
７…折りたたみ式カード折りたたみ済ＪＩＳ規格サイズカード
８…カードの表下半部面
９…カードの表上半部面
１０…折りたたみ式磁気情報記録カード
１１…磁気情報を記録したテープ
１２…磁気情報を記録したＩＣチップ
１３…折りたたみ式磁気情報記録カード折りたたみ済ＪＩＳ規格サイズカード
１４…折りたたみ式磁気複数情報記録カード
１５…折りたたみ式磁気複数情報記録カード折りたたみ済ＪＩＳ規格サイズカード
１６…電磁波遮蔽磁気情報記録カード
１７…電磁波遮蔽体層
１８…電磁波遮蔽磁気情報記録カード折りたたみ済ＪＩＳ規格サイズカード
１９…折りたたみ式通帳表紙表面
２０…折りたたみ式通帳表紙の表下半部面
２１…折りたたみ式通帳表紙の表上半部面
２２…折りたたみ式通帳表紙の裏下半部面
２３…折りたたみ式通帳表紙の裏上半部面
２４…折りたたみ式通帳記帳用紙
２５…折りたたみ式電磁波遮蔽磁気情報記録通帳表紙
２６…折りたたみ式電磁波遮蔽磁気情報記録通帳表紙折りたたみ済
２７…電磁波遮蔽多機能折りたたみ式カード
２８…電磁波遮蔽多機能折りたたみ式カードＪＩＳ規格サイズカード
【図１】
0003124318.tif 000003
【図２】
0003124318.tif 000004
【図３】
0003124318.tif 000005
【図４】
0003124318.tif 000006
【図５】
0003124318.tif 000007
【図６】
0003124318.tif 000008
【図７】
0003124318.tif 000009
【図８】
0003124318.tif 000010
【図９】
0003124318.tif 000011
【図１０】
0003124318.tif 000012
【図１１】
0003124318.tif 000013
【図１２】
0003124318.tif 000014
【図１３】
0003124318.tif 000015
【図１４】
0003124318.tif 000016
【手続補正書】
【提出日】平成18年1月26日(2006.1.26)
【手続補正１】
【補正対象書類名】実用新案登録請求の範囲
【補正対象項目名】請求項１９
【補正方法】削除
【補正の内容】
【手続補正書】
【提出日】平成18年4月13日(2006.4.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
紙、プラスチック、金属、その他各種基材（２）を使って長方形に形成したカードの上下中心に表、裏どちらでも折れる折目（３）を形成したことを特徴とする多機能折りたたみ式カード（１）。
【請求項２】
カードの折りたたむ前の寸法を、カード上下中心の折目（３）から二つ折りに折りたたむと、上下、横寸法、厚さが、ＪＩＳ規格カードの規格の上下、横寸法、厚さになるように設定して形成したことを特徴とする請求項１記載の多機能折りたたみ式カード（１）。
【請求項３】
請求項１から２に記載の多機能折りたたみ式カード（１）の基材自体を電磁波遮蔽体にして電磁波遮蔽体層（１７）を形成したことを特徴とする電磁波遮蔽多機能折りたたみ式カード（２７）。
【請求項４】
請求項１から２に記載の多機能折りたたみ式カード（１）の基材に電磁波遮蔽体を貼り付け電磁波遮蔽体層（１７）を形成したことを特徴とする電磁波遮蔽多機能折りたたみ式カード（２７）。
【請求項５】
請求項１から２に記載の多機能折りたたみ式カード（１）の基材に電磁波遮蔽体を挟み込み電磁波遮蔽体層（１７）を形成したことを特徴とする電磁波遮蔽多機能折りたたみ式カード（２７）。
【請求項６】
電磁波遮蔽体層（１７）がアルミニウムを含み、肉厚が５マイクロメートル以上である、請求項３から５の電磁波遮蔽多機能折りたたみ式カード（２７）。
【請求項７】
請求項１から２に記載の多機能折りたたみ式カード（１）の裏、折目（３）の下部面（５）に磁気情報を記録したテープ（１１）並びにＩＣチップ（１２）を貼り付けたり埋め込んだりしたことを特徴とする折りたたみ式磁気情報記録カード（１０）。
【請求項８】
請求項１から２に記載の多機能折りたたみ式カード（１）の折目（３）を基準とした、表、上部面（９）、下部面（８）裏、上部面（６）、下部面（５）４面に磁気情報を記録したテープ（１１）並びにＩＣチップ（１２）を貼り付けたり埋め込んだりしたことを特徴とする折りたたみ式磁気複数情報記録カード（１４）。
【請求項９】
請求項７に記載の折りたたみ式磁気情報記録カード（１０）、請求項８に記載の折りたたみ式磁気複数情報記録カード（１４）の基材自体を電磁波遮蔽体にして電磁波遮蔽体層（１７）を形成したことを特徴とする電磁波遮蔽磁気情報記録カード（１６）。
【請求項１０】
請求項７に記載の折りたたみ式磁気情報記録カード（１０）、請求項８に記載の折りたたみ式磁気複数情報記録カード（１４）の基材に電磁波遮蔽体を貼り付け電磁波遮蔽体層（１７）を形成したことを特徴とする電磁波遮蔽磁気情報記録カード（１６）。
【請求項１１】
請求項７に記載の折りたたみ式磁気情報記録カード（１０）、請求項８に記載の折りたたみ式磁気複数情報記録カード（１４）の基材に電磁波遮蔽体を挟み込み電磁波遮蔽体層（１７）を形成したことを特徴とする電磁波遮蔽磁気情報記録カード（１６）。
【請求項１２】
遮蔽体層（１７）がアルミニウムを含み、肉厚が５マイクロメートル以上である、請求項９から１０の電磁波遮蔽磁気情報記録カード。
【請求項１３】
紙、プラスチック、金属、その他各種基材を使って形成した（２）長方形の通帳表紙の上下中心に表、裏どちらでも折れる折目（３）を形成したことを特徴とする多機能折りたたみ式通帳表紙（１９）。
【請求項１４】
請求項１３記載の多機能折りたたみ式通帳表紙の裏、折目（３）、下部面（２２）磁気情報を記録したテープ（１１）並びにＩＣチップ（１２）を貼り付けたり埋め込んだりしたことを特徴とする折りたたみ式磁気情報記録通帳表紙（２５）。
【請求項１５】
請求項１４に記載の折りたたみ式磁気情報記録通帳表紙（２５）の基材自体を電磁波遮蔽体にして電磁波遮蔽体層（１７）を形成したことを特徴とする電磁波遮蔽磁気情報記録通帳表紙（２６）。
【請求項１６】
請求項１４に記載の折りたたみ式磁気情報記録通帳表紙（２５）の基材に電磁波遮蔽体を貼り付け電磁波遮蔽体層（１７）を形成したことを特徴とする電磁波遮蔽磁気情報記録通帳表紙（２６）。
【請求項１７】
請求項１３に記載の折りたたみ式磁気情報記録通帳表紙（２５）の基材に電磁波遮蔽体を挟み込み電磁波遮蔽体層（１７）を形成したことを特徴とする電磁波遮蔽磁気情報記録通帳表紙（２６）。
【請求項１８】
電磁波遮蔽体層（１７）がアルミニウムを含み、肉厚が５マイクロメートル以上である、請求項１４から１６の電磁波遮蔽磁気情報記録通帳表紙。